(57)【要約】      （修正有）【課題】ブーツの紐を締めおよび緩めるプロセスを着用者にとってより便利にするための技術を組込むブーツを提供する。【解決手段】ブーツには少なくとも２つの独立した紐通しゾーン２０，２２が設けられ、それらの引っ張りは着用者によって別々に調節可能である。ゾーンは２つの紐を引っ張ることによって固定可能で、それらの各々は２つの独立した紐通しゾーンの１つを締める。この配置により、着用者は各ゾーンを同時に締めることができ、着用者には従来の単一の紐通しゾーンのブーツを締めるかのような「感覚」が得られる。紐は、ブーツの上方および／または下方領域にある紐ロックによって、同時に、しかし独立して固定可能である。紐が紐ロックを通って移動する対応する距離なしに、紐を紐ガイドから外すことで、ブーツを緩め、ブーツを足から容易に取外せるようにたるみを作ることができる。着用者によって把持可能な解放ストラップが紐を外すのを容易にする。【選択図】図１
0003115773.tif 000002
【実用新案登録請求の範囲】
【請求項１】
ブーツであって、
着用者の足を覆うよう適合された下方領域と、前記着用者の脛のうち少なくとも一部分を覆うよう適合された上方領域とを有するブーツ本体と、
前記ブーツの第１の領域を締めるよう適合された第１の紐を含む第１の紐通しゾーンとを含み、前記第１の紐は前記上方領域に配置される一部分を有し、前記ブーツはさらに、
前記ブーツの第２の領域を締めるよう適合された第２の紐を含む第２の紐通しゾーンを含み、前記第２の紐は前記ブーツの前記上方領域に配置される一部分を有し、
前記第１の紐および前記第２の紐はともに、前記ブーツの前記上方領域で同時に固定可能である、ブーツ。
【請求項２】
前記第１の紐通しゾーンは下方の紐通しゾーンを含み、前記第１の紐は、前記ブーツの前記下方領域を締めるよう適合される下方の紐を含む、請求項１に記載のブーツ。
【請求項３】
前記第２の紐通しゾーンは上方の紐通しゾーンを含み、前記第２の紐は、前記ブーツの前記上方領域を締めるよう適合される上方の紐を含む、請求項１に記載のブーツ。
【請求項４】
前記ブーツ本体の前記上方領域に装着された少なくとも１つの紐ロックをさらに含み、前記少なくとも１つの紐ロックは、前記第１の紐および前記第２の紐のうち少なくとも１つを固定するよう適合される、請求項１に記載のブーツ。
【請求項５】
前記少なくとも１つの紐ロックは、前記第１の紐を固定するよう適合された第１の紐ロックと、前記第２の紐を固定するよう適合された第２の紐ロックとを含む、請求項４に記載のブーツ。
【請求項６】
前記第１の紐ロックおよび前記第２の紐ロックは紐滑り止めを含み、各滑り止めは各壁上に形成される固定歯を備えた対向する壁を有する本体を含み、前記壁は楔形の通路を形成するよう集まり、前記通路および前記固定歯は前記滑り止めの前記本体内で前記紐の一部分を保持するよう協働する、請求項５に記載のブーツ。
【請求項７】
前記ブーツ本体は、脛から爪先の方向に配置される舌状の開口部と、前記開口部内に配置される舌とを含み、各滑り止めは、各楔形の通路が前記舌状の開口部と実質的に平行になるように前記ブーツ本体に装着される、請求項６に記載のブーツ。
【請求項８】
前記ブーツ本体は本体の壁を含み、第１の紐の通路は前記本体の壁に配置され、前記第１の紐の一部分は前記第１の紐の通路内に配置される、請求項１に記載ブーツ。
【請求項９】
前記本体の壁に配置される第２の紐の通路をさらに含み、前記第２の紐の一部分は前記第２の紐の通路内に配置される、請求項８に記載のブーツ。
【請求項１０】
前記第１の紐および前記第２の紐のうち１つを受けるよう適合された複数の紐ガイドをさらに含み、少なくとも前記複数の紐ガイドのサブセットは概してＣ字形の案内面を有する、請求項１に記載のブーツ。
【請求項１１】
ガイドのうち少なくとも１つは、前記紐を捉え、前記紐の引張りが軽減されるときに前記紐が前記ガイドから外れるのを防ぐよう適合される少なくとも部分的に閉じたガイドを含む、請求項１０に記載のブーツ。
【請求項１２】
前記ガイドのうち１つは、前記紐の引張りが軽減されるときに前記紐が前記ガイドから
外れることを可能にするよう適合される開いたガイドを含む、請求項１１に記載のブーツ。
【請求項１３】
前記第１の紐および前記第２の紐のうち少なくとも１つに結合された解放ストラップをさらに含み、前記解放ストラップは、前記開いたガイドから前記紐を取外して前記紐にたるみを作り出すために前記着用者が把持可能である、請求項１２に記載のブーツ。
【請求項１４】
前記第１の紐および前記第２の紐の各々は、前記紐が蛇行している経路を追従し、それ自体と交差しないことを特徴とする紐通しパターンで通される、請求項１に記載のブーツ。
【請求項１５】
前記第１の紐および前記第２の紐は、前記第１の紐通しゾーンおよび前記第２の紐通しゾーンにおいて異なるレベルの締りを達成するために独立して締められ得る、請求項１に記載のブーツ。
【請求項１６】
前記第１の紐は、第１の自由端部と、前記第１の自由端部に配置される第１の取手とを含み、前記第１の取手は前記第１の紐を締めるために前記着用者が把持可能である、請求項１に記載のブーツ。
【請求項１７】
前記第２の紐は、第２の自由端部と、前記第２の自由端部に配置される第２の取手とを含み、前記第２の取手は、前記第２の紐を締めるために前記着用者が把持可能である、請求項１６に記載のブーツ。
【請求項１８】
前記ブーツ本体は、前記第１の取手および前記第２の取手のうち少なくとも１つを受けるよう適合された少なくとも１つのポケットを含む、請求項１７に記載のブーツ。
【請求項１９】
前記少なくとも１つのポケットは第１のポケットおよび第２のポケットを含み、前記第１のポケットは前記第１の取手を受けるよう適合され、前記第２のポケットは前記第２の取手を受けるよう適合される、請求項１８に記載のブーツ。
【請求項２０】
前記少なくとも１つのポケットは、前記ブーツ本体の前記上方領域における壁に配置され、かつ実質的に垂直な方向に延在する細長い開口部を含む、請求項１８に記載のブーツ。
【請求項２１】
前記少なくとも１つのポケットは第１のポケットおよび第２のポケットを含み、前記第１のポケットは前記第１の取手を受けるよう適合され、前記第２のポケットは前記第２の取手を受けるよう適合され、前記第１のポケットは前記ブーツ本体の第１の側上に配置され、前記第２のポケットは前記ブーツ本体の第２の側上に配置される、請求項２０に記載のブーツ。
【請求項２２】
前記下方の紐は、爪先区域に隣接した前記ブーツ本体に取付けられる第１の係止端部を含む、請求項２に記載のブーツ。
【請求項２３】
前記第２の紐通しゾーンは上方の紐通しゾーンを含み、前記第２の紐は、前記ブーツの前記上方領域を締めるよう適合される上方の紐を含み、前記上方の紐は、脛区域に隣接した前記ブーツ本体に取付けられる第２の係止端部を含む、請求項２２に記載のブーツ。
【請求項２４】
紐が特定の紐通しゾーンに対応することを前記着用者に示す標識≪指標≫をさらに含む、請求項１に記載のブーツ。
【請求項２５】
前記ブーツ本体は後部側を含み、前記第１の紐および前記第２の紐はともに、前記後部側より前方の前記ブーツ本体の前記上方領域で同時に固定され得る、請求項１に記載のブーツ。
【請求項２６】
前記ブーツはスノーボード用のブーツである、請求項１に記載のブーツ。
【請求項２７】
ブーツであって、
着用者の足を覆うよう適合された下方領域と、前記着用者の脛のうち少なくとも一部分を覆うよう適合された上方領域と、前記着用者が前記ブーツを着用したとき後方に向く後部側とを有するブーツ本体と、
前記ブーツの第１の領域を締めるよう適合された第１の紐を含む第１の紐通しゾーンとを含み、前記第１の紐は前記上方領域に配置される一部分を有し、前記ブーツはさらに、
前記ブーツの第２の領域を締めるよう適合された第２の紐を含む第２の紐通しゾーンを含み、前記第２の紐は前記ブーツの前記上方領域に配置される一部分を有し、
前記第１の紐および前記第２の紐はともに、前記ブーツ本体を前記着用者に完全に固定するために前記後部側より前方の位置で同時に固定可能である、ブーツ。
【請求項２８】
前記第１の紐通しゾーンは下方の紐通しゾーンを含み、前記第１の紐は、前記ブーツの前記下方領域を締めるよう適合される下方の紐を含む、請求項２７に記載のブーツ。
【請求項２９】
前記第２の紐通しゾーンは上方の紐通しゾーンを含み、前記第２の紐は、前記ブーツの前記上方領域を締めるよう適合される上方の紐を含む、請求項２７に記載のブーツ。
【請求項３０】
前記ブーツの前記上方領域に装着された少なくとも１つの紐ロックをさらに含み、前記少なくとも１つの紐ロックは、前記第１の紐および前記第２の紐のうち少なくとも１つを固定するよう適合される、請求項２７に記載のブーツ。
【請求項３１】
前記少なくとも１つの紐ロックは、前記第１の紐を固定するよう適合された第１の紐ロックと、前記第２の紐を固定するよう適合された第２の紐ロックとを含む、請求項３０に記載のブーツ。
【請求項３２】
前記第１の紐ロックおよび前記第２の紐ロックは紐滑り止めを含み、各滑り止めは、各壁上に形成される固定歯を備えた対向する壁を有する本体を含み、前記壁は楔形の通路を形成するよう集まり、前記通路および前記固定歯は、前記滑り止めの前記本体内で前記紐の一部分を保持するよう協働する、請求項３１に記載のブーツ。
【請求項３３】
前記ブーツ本体は、脛から爪先の方向に配置される舌状の開口部と、前記開口部内に配置される舌とを含み、各滑り止めは、各楔形の通路が前記舌状の開口部と実質的に平行になるように前記ブーツ本体に装着される、請求項３２に記載のブーツ。
【請求項３４】
前記ブーツ本体は本体の壁を含み、第１の紐の通路は前記本体の壁に配置され、前記第１の紐の一部分は前記第１の紐の通路内に配置される、請求項２７に記載のブーツ。
【請求項３５】
前記本体の壁に配置される第２の紐の通路をさらに含み、前記第２の紐の一部分は前記第２の紐の通路内に配置される、請求項３４に記載のブーツ。
【請求項３６】
前記第１の紐および前記第２の紐のうち１つを受けるよう適合された複数の紐ガイドをさらに含み、少なくとも前記複数の紐ガイドのサブセットは概してＣ字形の案内面を有する、請求項２７に記載のブーツ。
【請求項３７】
ガイドのうち少なくとも１つは、前記紐を捉え、前記紐の引張りが軽減されるときに前記紐が前記ガイドから外れるのを防ぐよう適合される少なくとも部分的に閉じたガイドを含む、請求項３６に記載のブーツ。
【請求項３８】
前記ガイドのうち１つは、前記紐の引張りが軽減されるときに前記紐が前記ガイドから外れることを可能にするよう適合される開いたガイドを含む、請求項３７に記載のブーツ。
【請求項３９】
前記第１の紐および前記第２の紐のうち少なくとも１つに結合された解放ストラップをさらに含み、前記解放ストラップは、前記開いたガイドから前記紐を取外して前記紐にたるみを作り出すために前記着用者が把持可能である、請求項３８に記載のブーツ。
【請求項４０】
前記第１の紐および前記第２の紐の各々は、前記紐が蛇行する経路を追従し、それ自体と交差しないことを特徴とする紐通しパターンで通される、請求項２７に記載のブーツ。
【請求項４１】
前記第１の紐および前記第２の紐は、前記第１の紐通しゾーンおよび前記第２の紐通しゾーンにおいて異なるレベルの締りを達成するために独立して締められ得る、請求項２７に記載のブーツ。
【請求項４２】
前記第１の紐は、第１の自由端部と、前記第１の自由端部に配置される第１の取手とを含み、前記第１の取手は前記第１の紐を締めるために前記着用者が把持可能である、請求項２７に記載のブーツ。
【請求項４３】
前記第２の紐は、第２の自由端部と、前記第２の自由端部に配置される第２の取手とを含み、前記第２の取手は、前記第２の紐を締めるために前記着用者が把持可能である、請求項４２に記載のブーツ。
【請求項４４】
前記ブーツ本体は、前記第１の取手および前記第２の取手のうち少なくとも１つを受けるよう適合された少なくとも１つのポケットを含む、請求項４３に記載のブーツ。
【請求項４５】
前記少なくとも１つのポケットは第１のポケットおよび第２のポケットを含み、前記第１のポケットは前記第１の取手を受けるよう適合され、前記第２のポケットは前記第２の取手を受けるよう適合される、請求項４４に記載のブーツ。
【請求項４６】
前記少なくとも１つのポケットは、前記ブーツ本体の前記上方領域における壁に配置され、かつ実質的に垂直な方向に延在する細長い開口部を含む、請求項４４に記載のブーツ。
【請求項４７】
前記少なくとも１つのポケットは第１のポケットおよび第２のポケットを含み、前記第１のポケットは前記第１の取手を受けるよう適合され、前記第２のポケットは前記第２の取手を受けるよう適合され、前記第１のポケットは前記ブーツ本体の第１の側上に配置され、前記第２のポケットは前記ブーツ本体の第２の側上に配置される、請求項４６に記載のブーツ。
【請求項４８】
前記下方の紐は、爪先区域に隣接した前記ブーツ本体に取付けられる第１の係止端部を含む、請求項２８に記載のブーツ。
【請求項４９】
前記第２の紐通しゾーンは上方の紐通しゾーンを含み、前記第２の紐は、前記ブーツの前記上方領域を締めるよう適合される上方の紐を含み、前記上方の紐は、脛区域に隣接した前記ブーツ本体に取付けられる第２の係止端部を含む、請求項４８に記載のブーツ。
【請求項５０】
紐が特定の紐通しゾーンに対応することを前記着用者に示す標識をさらに含む、請求項２７に記載のブーツ。
【請求項５１】
前記ブーツ本体は後部側を含み、前記第１の紐および前記第２の紐がともに、前記後部側より前方の前記ブーツ本体の前記上方領域で同時に固定され得る、請求項２７に記載のブーツ。
【請求項５２】
前記ブーツはスノーボード用のブーツである、請求項２７に記載のブーツ。
【請求項５３】
スノーボード用のソフトブーツであって、
可撓性のある材料から形成されるブーツ本体を含み、前記ブーツ本体は、乗り手の足を覆うよう適合された下方領域と、前記乗り手の脛のうち少なくとも一部分を覆うよう適合された上方領域とを有し、前記スノーボード用のソフトブーツはさらに、
前記ブーツ本体に装着された複数の紐ガイドを含み、前記紐ガイドのうち少なくとも１つは紐フックを含み、前記スノーボード用のソフトブーツはさらに、
第１の紐と前記ブーツ本体の前記上方領域に装着された第１の紐ロックとを含む第１の紐通しゾーンを含み、前記第１の紐は前記紐ガイドによって案内され、前記下方領域と協働し、前記第１の紐は前記下方領域を締めるために前記第１の紐ロックを通って延在しかつ前記第１の紐ロックと係合するよう適合され、前記第１の紐は、前記第１の紐ロックと係合可能となるように前記下方領域から前記上方領域に延在する一部分を有し、前記スノーボード用のソフトブーツはさらに、
第２の紐と前記ブーツ本体の前記上方領域に装着された第２の紐ロックとを含む第２の紐通しゾーンを含み、前記第２の紐は、前記紐ガイドと前記紐ロックとによって案内され、前記上方領域と協働し、前記第２の紐は、前記上方領域を締めるために前記第２の紐ロックを通って延在しかつ前記第２の紐ロックと係合するよう適合され、
前記第１の紐および前記第２の紐はともに、前記ブーツ本体の後部側より前方の前記ブーツ本体の前記上方領域において、前記第１の紐ロックおよび前記第２の紐ロックによってそれぞれ同時に固定され得、前記スノーボード用のソフトブーツはさらに、
前記第２の紐に結合された解放ストラップを含み、前記解放ストラップは、前記第２の紐にたるみを作り出すように前記フックから前記第２の紐を取外すために把持可能である、スノーボード用のソフトブーツ。
【考案の詳細な説明】
【技術分野】
【０００１】
考案の分野
この考案は、一般に履物の物品のための締付け配置に関し、特にスノーボード用のブーツを含むブーツのための紐通しシステムに関する。
【背景技術】
【０００２】
背景
ブーツは、従来、ブーツの内側および外側を行き来して通される紐を含む。典型的には、紐は、ブーツの上部部分から突出する２つの自由端を有し、着用者はこれを引っ張って足の周りにブーツを締め付けることができる。
【０００３】
多くのスノーボード用ブーツ、特に「ソフトな」種類のスノーボード用ブーツにも同じことが言える。ソフトブーツは、その名が示すように、典型的には、柔らかい材料（たとえば、皮、布地、および／または薄いプラスチックの構成要素）を含み、比較的硬質な、典型的にはハードブーツの成形プラスチックシェルより柔軟である。ソフトブーツは、一般に、ハードブーツより快適で歩きやすく、「フリースタイル」または技巧を凝らしたスノーボードに関わる乗り手に好まれることが多い。ソフトブーツを締めることには、典型的には紐の両端を引張り、紐を結び目または蝶結びにすることが伴う。
【０００４】
多くの場合、紐は十分に長く、何度も行き来して通されるため、単にその自由端を引っ張って紐を締めることは、紐と、そこを紐が通って案内されるブーツの部分（たとえば、鳩目または紐ガイド）との間の摩擦によって難しいことがある。したがって、着用者は、しばしばブーツの底部から上部へと紐を段々と締め、最終的に紐の自由端を引っ張らなければならない。これらの労力にもかかわらず、着用者は、依然としてブーツの部分に望ましくない締まりおよび不快感を経験することがある。この問題に対処するため、ブーツの別々の区域または「ゾーン」を独立して締めることができる「ゾーン紐通し」を有するブーツが開発されており、着用者は締まりのレベルを特定の区域で所望されるように調節することができる。しかしながら、そのような紐通しシステムには、紐を締めるための便利な配置が欠けている。
【０００５】
さらに、従来の紐通しシステムは、「ゾーン紐通し」を組込むか否かにかかわらず、典型的には、紐を掴み、引っ張って結ぶことができるように長い自由端を有する紐を含む。自由端は、結ばれずにブーツから垂れ下がる。紐の端部が短い紐通しシステムは有利であるが、十分に短い紐と、ブーツの取外しを容易にするたるみを提供するのに十分な長さを有するものとの間の釣り合いを取るのが難しい。
【考案の開示】
【課題を解決するための手段】
【０００６】
概要
１つの例示的な実施例は、着用者の足を覆うように適合された下方領域および着用者の脛の少なくとも一部分を覆うように適合された上方領域を備えたブーツ本体を有するブーツに向けられる。ブーツは、ブーツの第１の領域を締めるように適合された第１の紐を含む第１の紐通しゾーン、およびブーツの第２の領域を締めるように適合された第２の紐を含む第２の紐通しゾーンを含む。第１および第２の紐は、上方領域に配置される部分を有する。第１の紐および第２の紐は、ともにブーツの上方領域で同時に固定可能である。
【０００７】
別の例示的な実施例は、着用者の足を覆うように適合された下方領域、着用者の脛の少
なくとも一部分を覆うように適合された上方領域、および着用者によって着用されたときに後方に向く後部側を備えたブーツ本体を有するブーツに向けられる。ブーツは、ブーツの第１の領域を締めるように適合された第１の紐を含む第１の紐通しゾーン、およびブーツの第２の領域を締めるように適合された第２の紐を含む第２の紐通しゾーンも含む。第１および第２の紐は、上方領域に配置される部分を有する。第１の紐および第２の紐は、ともに、ブーツ本体を着用者に完全に固定するように後部側の前方の或る場所で同時に固定可能である。
【０００８】
さらに別の例示的な実施例は、ブーツ本体、ブーツ本体に結合された複数の紐ガイド、および紐ガイドによって案内される少なくとも１つの紐を有するブーツに向けられる。紐ガイドの少なくとも１つは紐フックを含み、少なくとも１つの紐は、フックから外せるように適合される。ブーツは、ブーツを着用者に締めることができるようにするために少なくとも１つの紐と係合可能な少なくとも１つの紐ロック、および少なくとも１つの紐に結合された解放ストラップを含む。解放ストラップは、少なくとも１つの紐をフックから取外して、その少なくとも１つの紐にたるみを作るために把持可能である。
【０００９】
別の例示的な実施例は、ブーツ本体、ブーツ本体に結合された複数の紐ガイド、および紐ガイドによって案内される少なくとも１つの紐を有するブーツに向けられる。紐ガイドの少なくとも１つは紐フックを有し、少なくとも１つの紐はフックから外せるように適合される。ブーツは、少なくとも１つの紐と係合可能な少なくとも１つの紐ロックを含むため、ブーツを着用者に締めることができる。少なくとも１つの紐をフックから取外したときに作られるたるみ紐の量は、少なくとも１つの紐を少なくとも１つの紐ロックから外したときに他の態様で作られるたるみ紐の量よりも大きい。
【００１０】
さらに別の例示的な実施例は、ブーツ本体、ブーツ本体に結合された複数の紐ガイド、および紐ガイドによって案内される少なくとも１つの紐を含むブーツに向けられる。紐ガイドの少なくとも１つは紐フックを含み、少なくとも１つの紐はフックから外せるように適合される。ブーツは、少なくとも１つの紐と係合可能な少なくとも１つの紐ロックを含むため、ブーツを着用者に締めることができる。少なくとも１つの紐は、その少なくとも１つの紐が締められた後に、少なくとも１つの紐ロックから延在する自由端部分を有するように適合される。少なくとも１つの紐を少なくとも１つのロックから外したときに、その少なくとも１つの紐の自由端部分によって設けられるたるみ紐の量は、着用者からブーツを容易に取外すことができるようにするには不十分であり、少なくとも１つの紐を紐フックから取外したときに作られるたるみ紐の量は、着用者からブーツを容易に取外すことができるようにするのを支援する。
【００１１】
さらに別の例示的な実施例は、ブーツを使用する方法に向けられる。ブーツは、ブーツ本体、ブーツ本体に結合された複数の紐ガイド、紐ガイドによって案内される少なくとも１つの紐、および少なくとも１つの紐と協働しかつ少なくとも１つの紐と係合する少なくとも１つの紐ロックを有するため、少なくとも１つの紐は、着用者の周りにブーツ本体を締めるために締め方向に向かって保持することができる。少なくとも１つの紐は、その少なくとも１つの紐が締められた後に、少なくとも１つの紐ロックから延在する自由端部分を有するように適合される。少なくとも１つの紐を少なくとも１つのロックから外したときに、その少なくとも１つの紐の自由端部分によって設けられるたるみ紐の量は、着用者からブーツを容易に取外せるようにするには不十分なことがある。この方法は、少なくとも１つの紐を少なくとも１つの紐ガイドから取外して少なくとも１つの紐に或る長さのたるみを作りブーツから足を取外すことができるように支援するステップと、他の紐ガイドの少なくとも１つを通って紐を緩め方向に引くステップを含む。
【００１２】
別の例示的な実施例は、スノーボード用ソフトブーツに向けられる。ブーツは、柔軟な
材料で形成されたブーツ本体を含み、ブーツ本体は、乗り手の足を覆うように適合された下方領域および乗り手の脛の少なくとも一部分を覆うように適合された上方領域を有している。複数の紐ガイドがブーツ本体に取付けられ、紐ガイドの少なくとも１つは紐フックを含む。ブーツは、上方領域に第１の紐およびブーツ本体に取付けられた第１の紐ロックを有する第１の紐通しゾーンを含む。第１の紐は、紐ガイドによって案内され、下方領域と協働する。第１の紐は、第１の紐ロックを通って延在しかつそれと係合して下方領域を締めるように適合される。第１の紐は、第１の紐ロックと係合できるように下方領域から上方領域に延在する部分を有する。ブーツは、上方領域に第２の紐およびブーツ本体に取付けられた第２の紐ロックを有する第２の紐通しゾーンもさらに含む。第２の紐は、紐ガイドおよび紐フックによって案内され、上方領域と協働する。第２の紐は、第２の紐ロックを通って延在しかつそれと係合して上方領域を締めるように適合される。第１および第２の紐は、ともに、ブーツ本体の後部側の前方のブーツ本体の上方領域で、それぞれ第１および第２の紐ロックによって同時に固定することができる。解放ストラップは、第２の紐に結合され、第２の紐にたるみを作るようにフックから第２の紐を取外すために把持可能である。
【００１３】
この考案のさまざまな実施例は或る利点を提供する。考案のすべての実施例が同じ利点を共有するわけではなく、そうするものでもすべての状況でそれらを共有するわけではない。
【００１４】
この考案のさらに別の特徴および利点、ならびにこの考案のさまざまな実施例の構造を添付の図面を参照して以下に詳細に説明する。
【００１５】
この考案のさまざまな実施例を添付の図面を参照して、例によって説明する。
【考案を実施するための最良の形態】
【００１６】
詳細な説明
この考案のブーツは、ブーツの紐の締めおよび緩めのプロセスを着用者にとってより便利にするための配置および／または技術を含む。
【００１７】
一局面では、ブーツには少なくとも２つの独立した紐通しゾーンが設けられ、それらの引張りは着用者によって別々に調整可能であるため、着用者にとっての快適性、柔軟性および／または性能が向上する。したがって、着用者は、（たとえば）より強く適合させるためのブーツの部分、および緩めに適合させるためのブーツの別の部分を選ぶことができる。
【００１８】
この考案のブーツの着用者に、従来どおりに紐を通されたブーツを締めるのに伴う馴染みのある感覚を与えるために、一実施例では、ゾーンは２つの紐の端部を引張ることによって締めることができ、それらの各々は、従来どおりに紐を通されたブーツに典型的であるのようにほぼ同じ場所、すなわち、ブーツの上方および／または前方領域にある紐通しゾーンから出ている。一実施例では、各ゾーンは別々の紐で締められる。ブーツの上方および／または前方領域にある２つの紐を引張りかつ固定することによってブーツを締める感覚は、従来のブーツの紐の使用に伴うものと類似である。
【００１９】
この配置によって、着用者は各ゾーンを同時に締めることができ、着用者は単一の紐通しゾーンを有する従来のブーツを締めるかのような「感覚」を与えられるが、一方で、特定のゾーンを所望の引張りに締めるという利点が得られる。一実施例では、紐は同時に、しかし独立して固定することができる。この局面では、紐通し配置によって着用者は紐を同時に固定することができるが、着用者はそうする必要はない。この実施例のシステムは、各ゾーンの紐を同時に固定するための選択肢を着用者に与えるにすぎない。別の実施例
では、たとえば、着用者は、下方の紐をまず固定し、その後、上方の紐を固定してもよい。
【００２０】
この考案の別の局面は、ブーツを緩めかつ取外すのを容易にするために紐にたるみを作ることに関する。この局面では、比較的短い紐の端部を用いることと、ブーツの取外しを容易にするために十分な紐のたるみを設けることとの釣り合いが取られる。一実施例では、ブーツは、紐の端部を固定するための紐ロック、およびブーツに設けられたオープンフック（ここでは「スピードフック」とも称される）として形成される１つまたは複数の紐ガイドを含む。着用者は、紐が紐ロックを通って移動する対応する距離なしに、スピードフックから紐を外して紐にたるみを作ることができる。一実施例では、紐をスピードフックから外すのを容易にするように、着用者によって把持可能なプルタブまたは解放ストラップが紐に結合される。このようにして、紐のたるみをすばやくかつ容易に作って、ブーツの取外しを容易にすることができる。さらに別の利点としては、紐が紐ロックを通って移動することから生じる紐の摩耗の最小化がある。
【００２１】
この考案の上述の局面は、好適な組合せであればどの組合せで用いてもよく、この考案はこの点に関して限定されない。さらに、上述の局面のいずれかまたはすべてをスノーボード用ブーツで用いてもよいが、しかしながら、この考案はこの点に関して限定されず、この考案の局面は、ブーツおよびスノーボード用ブーツを含むあらゆる種類の履物で使用可能である。この考案のさまざまな局面および実施例を添付の図面を参照して詳細に説明する。しかしながら、この考案は、図示される局面および実施例に限定されない。
【００２２】
上述の局面を組込むこの考案の一実施例によるブーツ２（スノーボード用ブーツとして形成されたものでもよい）が図１〜図５に示される。ブーツ２は、ブーツ本体３（ブーツ上方とも称される）および靴底４（典型的にはゴムで形成される）を有する。ブーツ本体３は、着用者の足を覆うように適合された下方領域６、および着用者の脛の少なくとも一部分を覆うように適合された上方領域７を有する。ブーツ本体３は、当該技術分野で知られる従来の態様で脛から爪先への方向に配置される舌状の開口部１８、および舌状の開口部１８内に配置されかつブーツ本体３に下方端部分で取付けられる舌１９を含む。
【００２３】
図示されるブーツ２は、着用者の右足用に構成されており、内側１０および外側１２を含む。（ここで、「外側」という言葉は、外側に面しかつ着用者から離れるブーツの側、すなわち、着用者によって着用されたときの、左のブーツの左側および右のブーツの右側を指す。「内側」という言葉は、着用者の他方の足に向かって内側に向くブーツの側、すなわち、着用者によって着用されたときの、左のブーツの右側および右のブーツの左側を指す。）上方の紐１４および下方の紐１６は、ブーツ２の内側１０および外側１２を通される。上方の紐１４および下方の紐１６は、ブーツ２を締めるために（対応して、内側１０と外側１２との間の舌状の開口部１８の幅を低減するために）使用可能である。
【００２４】
図１〜図５に示される実施例では、ブーツは、上方の紐通しゾーン２０および下方の紐通しゾーン２２の２つの紐通しゾーンを含む。上方の紐１４は、ブーツ本体３の上方領域７で上方の紐通しゾーン２０を締めるために設けられ、下方の紐１６は、ブーツ本体３の下方領域６で下方の紐通しゾーン２２を締めるために設けられる。
【００２５】
上述のように、複数の紐通しゾーンを使用することによって、着用者は、ブーツの異なる部分を所望の引張りに別々に締めることができる。図１〜図５に示される例では、着用者は、上方の紐１４を用いて上方の紐通しゾーン２０を１つの引張りに締め、下方の紐１６を用いて下方の紐通しゾーン２２を別の引張りに締めることができる。しかしながら、この考案はこの点に関して限定されず、ブーツはどのような所望の態様で紐通しゾーンに分けてもよく、上方の紐通しゾーンおよび下方の紐通しゾーンに分ける必要はない。他の
２つのゾーンの構成も企図され、当業者に思い浮かぶであろう。同様に、さらなる柔軟性、快適性および／または性能のために（所望の構成で）３つ以上の紐通しゾーンを用いてもよい。
【００２６】
一実施例では、下方の紐１６は、下方の紐通しゾーン２２の底部に向かって（たとえば、ブーツの爪先領域で）位置２４でブーツに係止され、入口鳩目３４を通って、ブーツ２の内側１０の壁内に配置される内部の紐ガイドチューブまたは通路３２に入る前に、外部の紐ガイド２６を通される。下方の紐１６は、内部の紐ガイドチューブ３２を通って延在し、出口鳩目３６（図５）でブーツ２の上方領域７に出て、ここで紐ロック３８（図５）に通される。類似の態様で、上方の紐１４は、ブーツ２の上方領域７で上方の紐通しゾーン２０の上部に向かって（たとえば、ブーツの脛の領域で）位置５０でブーツに係止され、入口鳩目６０を通って、ブーツ２の外側１２の壁内に配置される内部の紐ガイドチューブまたは通路５８に入る前に、紐ガイド２６およびフック５４上方を通される（後に詳細に説明する）。上方の紐１４は、内部の紐ガイドチューブ５８を通って延在し、鳩目６２を出て、次に、ブーツ２の上方領域７に設けられる紐ロック６４を通される。しかしながら、この考案は限定されず、紐、紐ガイドおよび紐ロックの他の好適な構成を用いることができる。
【００２７】
たとえば、紐の各々を案内するために、より多くのまたはより少ない紐ガイドを設けてもよい。紐ガイドは、所望の構成であればどのように形成してもよい。たとえば、それらは、紐を受けるための、チューブ、フック、鳩目、支柱、および紐通しゾーンを通って紐を案内するために好適な他の構成を含んでもよい。内部および外部の紐ガイドの１つのそのような組合せが図１〜図５に示されるが、他の組合せもこの考案の範囲内にあり、当業者に明らかであろう。
【００２８】
さらに、この考案は、紐の端部をブーツに係止するための何らかの特定の場所に限定されない。たとえば、上方の紐１４の１つの端部を上方の紐通しゾーン２０の上部で係止する代わりに、別の実施例では、上方の紐１４の１つの端部は、上方の紐通しゾーン２０の底部に係止してもよく、または他の適切な場所で係止してもよい。同じことが下方の紐１６の係止についても言える。同様に、紐ロック３８（図５）および６４（図１〜４）は図示のようにブーツの上部部分にある必要はなく、紐ロックは、ブーツの前方部分などの他の場所にあってもよい。
【００２９】
図１〜図５に示される実施例では、紐１４および１６の各々は、紐を締めるために着用者によって把持可能な自由端部分を含む。一実施例では、自由端部分は、着用者によって紐を引張るのを容易にするための取手を作るために輪にされてそれ自身に戻される紐の一部分を含んでもよい。具体的には、上方の紐１４は取手６６を含み、下方の紐１６は取手４２を含む。
【００３０】
動作において、着用者は、取手６６および４２を引張り、これは締め方向「Ａ」で紐を引き、上方および下方の紐通しゾーン２０および２２を連続的にまたは同時に締めることができる。各紐通しゾーンが所望の締まりに達すると、着用者は、紐が通される対応する紐ロックでそれぞれの紐を固定することができる。上述のように、この動作によって、使用者は、紐の２つの自由端を引張ることによって、従来のブーツを締める感覚を得られる。さらに、ブーツの底部から上部へと１つの紐を段々に締める必要はなく、ブーツの上部で結び目または蝶結びを作る必要もない。つまり、着用者は１つの動きでブーツの紐を締め、固定することができる。
【００３１】
紐を定位置に保持するために、紐ロックを用いてもよい。紐ロックの１つの具体的な実施例は、図６〜図７に示され、滑り止めとして示される。紐ロック３８、６４は、２つの
対向する壁、すなわち、内壁１００および外壁１０２を有する本体９８を含み、その間に通路１０４が配置される。紐ロックは、前部１０６（紐ロックがブーツに取付けられたときに前方に向く）、および後部１０８（紐ロックがブーツに取付けられたときに後方に向く）を含む。
【００３２】
紐ロックの内壁１００および外壁１０２は、各々、複数の固定歯１１０を含み、これらは協働して図６に示されるような滑り止めを形成する。歯１１０の深さ「ｄ」は、紐ロックの前部１０６から後部１０８へと増加する。したがって、歯１１０は、集まって、楔または「Ｖ」字形の滑り止めを通路１０４に形成し、その内部で紐を固定することができる。この考案はこの点に関して限定されず、歯の適切な配置、または紐ロック内で紐を固定するための適切な機構を用いてもよい。
【００３３】
図７に示されるように、紐ロックの底部部分１１２に最も近い歯１１０は、紐ロックの前端縁１０６またはその近くで開始し、紐ロックの上部部分１１４に最も近い歯１１０はより短く、紐ロックの前端縁１０６からより遠くで開始する。したがって、紐ロックの底部部分１１２に最も近い歯１１０は、着用者が紐ロックの前端縁１０６から紐ロックの後端部１０８に向かって紐を引張るときに、まず紐によって係合され、その後、紐は紐ロックの上部部分１１４に最も近い歯１１０と係合する。しかしながら、この考案は、この点に関して限定されず、歯１１０の他の構成が企図される。
【００３４】
紐ロックは、孔１１６を通って留具（図示せず）でその内壁１００でブーツ２に固定される。しかしながら、この考案はこの点に関して限定されず、接着剤または縫製などの、紐ロックをブーツに固定するための他の機構を用いてもよい。
【００３５】
この考案は、紐を固定するための特定の配置に限定されず、好適な機構であればどのようなものを用いてもよいことを理解されたい。たとえば、紐ロックは、ばね押しバレルロック、キャプスタン、カムロック、支柱、またはその他の好適な装置もしくは配置として構成してもよい。
【００３６】
一旦紐が締められてから紐を固定するのをさらに容易にするために、紐ロックは、着用者が単一の動きで紐を締め、固定できるように或る位置で配向され得る。一実施例では、着用者が紐を所望の引張りに締めた後、着用者は、紐ロックの後端縁１０８に向かって紐を引張り、これによって、歯１１０によって形成された「Ｖ」字形の滑り止め内で紐が捉えられる。これは、紐ロック内の通路１０４が舌状の開口部１８（図１〜図５に示す）に実質的に平行になるような態様でブーツ上で紐ロックを配向することによって実現することができる。またはこれに代えて、紐ロックは、紐の引張りが緩められたときに紐が自動的に紐ロック内に保持されるように構成されてもよい。しかしながら、この考案はこの点に関して限定されず、他の単一のまたは複数のステップの固定配置を用いてもよい。
【００３７】
取手は、着用者が取手を引張るときに着用者の手の圧力点を軽減するように形成されてもよい。一例では、各取手４２、６６は、紐が通されるチューブを含む。チューブ上に織物材料を位置付けてもよく、またはチューブが用いられない場合、織物を紐に位置付けてもよい。好適な詰め物を用いてもよい。
【００３８】
一実施例では、どのゾーンに紐が属すかを着用者に示すことが有利であり得る。図１に示されるように、取手６６は、刺繍されたかまたは他の態様で取手に適用された「上部ゾーン」というラベルを含む。同様に、取手４２は、刺繍されるかまたは他の態様で取手に適用された「下方ゾーン」というラベルを含む。この考案はこの点に関して限定されず、色分けされるかまたは異なる形状の取手などの他の好適な標識を用いてもよい。これに代えて、好適な標識をブーツの側に位置付けてもよい。さらに、この考案はこの点に関して
限定されないため、標識を用いなくてもよい。
【００３９】
紐１６および１４の取手４２および６６（ならびに締めた後の余分な紐）は、さもなければブーツから垂れ下がり、着用者の進路に入り得る余分な紐を減らすために仕舞うことができる。一実施例では、図１〜図５に示されるように、ブーツはポケット４４および７０を含んでもよい。図４では、取手６６はポケット４４に仕舞われて示される。図５では、取手４２はポケット７０に仕舞われて示される。一実施例では、ポケット４４および７０は、ブーツ２の上部またはその近くのブーツ本体３の壁に細長い開口部を含み、実質的に垂直の方向に延在する。別の実施例では、ポケットは、図５に示されるように、垂直の位置に対して或る角度で延在してもよい。
【００４０】
しかしながら、この考案はこの点に関して限定されず、ポケットは設ける必要はないことを理解されたい（または、設けられた場合、ブーツの他の場所にあってもよく、または異なる構成であってもよい）。
【００４１】
一実施例では、図示されないが、紐ロックの代わりに回転閉鎖装置を用いてもよい。そのような装置を用いると、紐の自由端は、装置の本体に通し、所望の引張りを実現するようにスプールが回転するとスプールに巻き付けることができ、ポケットの使用は必要でなくなる。そのような閉鎖装置は、運動靴の従来の紐を置換えるためのケーブル締めシステムとともに使用されるものなどの他の適用例で使用されるものがよく知られており、そのような回転閉鎖装置の例は、米国特許第３，７３８，０２７号、第３，８０８，６４４号、第４，４３３，４５６号、第４，６１６，５２４号、第４，６６０，３００号、第４，７４８，７２６号、第４，７６１，８５９号、第４，７８７，１２４号、第４，７９６，８２９号、第４，８４１，６４９号、第４，８８４，７６０号、第４，９６１，５４４号、第５，０４２，１７７号、第５，０６５，４８１号、第５，１５０，５３７号、第５，１５２，０３８号、第５，１５７，８１３号、第５，３２５，６１３号、第５，６００，８７４号、第５，６０６，７７８号、第５，６３８，５８８号および第５，６６９，１１６号、ならびにヨーロッパ特許出願ＥＰ０５６，９５３およびＥＰ２６４，７１２に説明されている。この考案は、特定の種類の閉鎖装置の使用に限定されず、紐のたるみを取ることのできる機構であればどのようなものをこの考案に関して用いてもよいことを理解されたい。
【００４２】
別の実施例では、これも図示しないが、紐反動装置（lace recoil device）を用いてもよい。紐の自由端は、紐に所望の引張りが適用された後に、スプールの反動の動きが余分な紐を取るように自己巻取りスプールに係止される。ここでも、そのような装置を用いると、ポケットの使用は必要でないことがある。反動装置は、紐を所望の引張りで保持するためにロックを含んでもよい。
【００４３】
図１〜図５に示される実施例に戻ると、紐ガイド２６は、半円形または一般に「Ｃ」字形の案内面を有してもよい。図８は、１つの紐ガイド２６の後部拡大図であり、案内面には参照番号２００が付けられている。図８に示されるように、紐ガイドは、紐の引張りが緩められたときに、紐を捕捉しかつ紐が紐ガイドから外れないようにするために、閉鎖部分２０２によって部分的に閉鎖される。しかしながら、この考案はこの点に関して限定されず、紐を捉えるためのどのような紐ガイドの適切な構成を用いてもよい。たとえば、紐ガイドはチューブを含んでもよい。別の例では、紐ガイドの後部部分は、紐の引張りが緩められたときに、紐が外れるのを防ぐために一片の柔軟な材料を含んでもよい。他の構成も企図され、当業者に容易に思い浮かぶであろう。
【００４４】
一実施例では、案内面の湾曲「ｒ」の半径によって、紐の方向が徐々に転換される。そのように徐々に転換することによって、捩れ点が低減され、紐がガイドに引っ掛かること
も低減される。このようにして、紐に適用された力が紐上の締めの引張りに変換される効率が最大化される。つまり、抵抗または他の損失が最小化される。一実施例では、湾曲「ｒ」の半径は、ほぼ２分の１インチである。湾曲の他の好適な半径、または紐ガイドのための他の好適な形状を用いてもよく、この考案はこの点に関して限定されない。
【００４５】
紐ガイドは、紐の摩擦抵抗を低減するために、テフロン（登録商標）などの低摩擦材料から作られる。しかしながら、この考案はこの点に関して限定されず、金属または織物などの他の好適な材料から紐ガイドを作ってもよい。
【００４６】
上述のように、この考案の別の局面は、ブーツを緩め、取外すのを容易にするために紐にたるみを作ることに関する。この局面では、オープンフック５４（「スピードフック５４」とも称される）がブーツ本体３に設けられ、スピードフック５４は、着用者に所望されるときにスピードフック５４から紐を外すことができるように適合される。図１〜図４に示されるように、スピードフック５４は、上部の紐１４と協働するために上方の紐通しゾーン２０に設けられる。しかしながら、この考案はこの点に関して限定されず、スピードフック５４は、下方の紐通しゾーン２２（もしくは１つまたは複数の他の紐通しゾーン）に関しても使用してもよい。フック５４は、好適な態様であればどのように構成してもよく、好適な材料であればどのようなもので形成してもよく、この考案はこの点に関して限定されない。一実施例では、フック５４は、他の紐ガイドと類似の材料で作られるが、より小さく、湾曲の半径は同じか（たとえば、ほぼ２分の１インチ）またはより小さい（たとえば、４分の１または８分の１インチ）。
【００４７】
さらに、図示されるように、フック５４は、紐がフック５４から外れたときに、フックのどちらかの側の紐の端部が依然として他の紐ガイドによって捕捉されるように２つの紐ガイド２６の間に配置される。このようにして、ブーツを再び締めるときに、着用者は、他の紐ガイド２６のいくつかとではなく、フック５４と紐を再係合するだけでよい。しかしながら、この考案はこの点に関して限定されず、紐フック５４は、他の好適な場所に位置付けてもよく、および／または付加的な紐フックを用いてもよい。他の実施例では、紐は、紐ガイドの１つまたは複数から取外し可能であってもよい。
【００４８】
プルタブ１２０（「解放ストラップ」とも称される）は、紐（この場合は上方の紐１４）に設けられ、紐１４のスピードフック５４へ嵌め外しの動きを容易にするために把持可能な部分を含む。一実施例では、解放ストラップは、たとえば、紐に縫い付けられる織物などの材料の帯から形成される。ストラップは、紐に沿ってスライドできるように紐に装着されてもよい。一実施例では、材料の帯の一部分は、紐に折り重ねられ、それ自身に折り返されて、紐を囲みかつ縫い付けて閉じられる輪を形成する。しかしながら、この考案はこの点に関して限定されず、解放ストラップは、他の技術を使用して形成してもよく、または紐を受けるために形成された通路を備えた材料の固体片などの他の構成で形成されてもよい。またはこれに代えて、そのような構造がなくても、着用者は、指で紐を動かしてフックから嵌め外ししてもよい。
【００４９】
この局面では、着用者は、図２に示されるように、（上述のように、解放ストラップ１２０を用いるかまたは用いずに）スピードフック５４から紐１４を外して、紐１４にたるみを作る。このたるみを、図３に示されるように、隣接する紐部分１４ａ、１４ｂに移動させて、着用者は、たとえば、紐のたるみのために大きく制限されていない舌を着用者の足から離れるように動かすことによって、ブーツを足から容易に取外すことができる。
【００５０】
紐を紐フック５４から外せるようにすることによって、紐ロックに紐を再び通す必要性が最小化される。図１に示されるように、一般に紐ロック６４と取手６６の位置１２２（すなわち、紐１４が取手の輪に形成された後に再びそれ自身と再結合するところ）との間
に延在する紐１４の自由端での紐の量「Ｌ」は、最小になるため、大量の紐はブーツから垂れ下がらず、または他の態様で仕舞う必要はない。この紐の長さ（「Ｌ」）は、ブーツの容易な取外しを可能にするために十分なたるみ紐を作るのに所望とされる紐の量より少ない。つまり、紐ロック６４から紐１４を外して、緩め方向「Ｂ」で紐ロック６４を通って紐１４を引き戻すと、紐は、位置１２２が紐ロック６４に当接するところまでのみ動く。付加的な量の紐１４は、方向「Ｂ」で紐ロック６４を通ることはできない。したがって、紐１４に付加的なたるみを作るために、図２および図３に示されるように、紐１４はフック５４から外されて、着用者がブーツを取外すのを支援する。
【００５１】
一実施例では、紐１４をスピードフック５４（図２では、「Ｓ１」および「Ｓ２」として示される）から紐１４を外すことによって紐１４に作られるたるみの量は、緩め方向「Ｂ」で紐ロック６４を通って利用可能な紐の量「Ｌ」よりも大きい。一実施例では、この紐の量（「Ｓ１」および「Ｓ２」）は、それ自身によって十分なたるみを作るため、ブーツ２の取外しのために紐ロック６４から紐１４を外す必要はない。別の実施例では、紐の量（「Ｓ１」および「Ｓ２」）に、紐１４を紐ロック６４から外したときに作られる付加的な量「Ｌ」を加えたものは、ブーツの取外しを容易にするのに十分なたるみを作る。
【００５２】
一実施例では、紐１４の自由端での紐の量「Ｌ」は、ほぼ３インチである。紐の量「Ｓ１」および「Ｓ２」は、合わせてほぼ９インチである。しかしながら、この考案はこの点に関して限定されておらず、他の好適な長さを用いてもよいことを理解されたい。
【００５３】
紐１４および１６は、さまざまな態様のどのような態様で実現してもよく、この考案は特定の実現例に限定されない。紐１４および１６は、スノーボードをしているときに遭遇され得るかなりの力に耐えるために十分に強くなければならず、この点に関して、運動靴などの従来の履物に用いられる紐よりも大きな強度を必要とし得る。紐１４および１６は、モノフィラメントまたはマルチストランドの紐から形成してもよい。この考案の例示的な一実施例によると、紐１４および１６は、伸びなしに高い引張り力に耐えることのできる低摩擦材料から作られ、紐１４および１６と紐ガイド２６との間の摩擦係合を最小化し、これによって、それぞれの紐通しゾーン２０および２２にわたる均一な圧力分布を容易にする。特定の材料または特定の形（すなわち、編まれた、組まれた、モノフィラメント、等）に限定されないが、紐１４および１６に使用可能な材料の例は、さまざまな種類の織物、プラスチック、金属、ケブラー（Kevlar）（登録商標）および／またはスペクトラコード（Spectra Cord）を含む。
【００５４】
ブーツ２は、皮、織物、プラスチック（たとえば、非硬質のプラスチック）または他の好適な天然または人工材料などの柔らかく柔軟な材料を用いたソフトブーツとして構成してもよい。ライナー（図示せず）を用いて、ブーツの内部領域に挿入してもよいが、しかしながら、この考案はこの点に関して限定されない。取外し可能であるか否かにかかわらず、舌状の補強材を用いて他の柔軟な舌を補強してもよい。舌状の補強材の例は、同じ譲受人に譲渡された米国特許第６，３６０，４５４号に見られ、これをここに引用により援用する。
【００５５】
図示の実施例では、紐１４および１６は蛇行した経路を追従し、自分自身に交差する多くの従来の紐とは異なり、自分自身に交差せず、舌状の開口部１８に「交差する」。しかしながら、この考案はこの点に関して限定されず、当業者に明らかなように他の紐通しパターンを使用してもよい。たとえば、紐が自分自身に交差する紐通しパターンを用いてもよい。
【００５６】
この考案の上述の説明は例示的なものにすぎず、この考案の他の実施例、修正および均等物が請求の範囲に示される考案の範囲内にあることを理解されたい。さらに、上述の各
実施例は或る特徴を含むが、この考案はこの点に関して限定されない。したがって、ブーツまたは使用の方法の上述または他の特徴の１つまたは複数は、単独または好適な組合せで用いることが可能であり、この考案は特定の実施例に限定されない。
【図面の簡単な説明】
【００５７】
【図１】この考案のブーツの例示的な一実施例の斜視図である。
【図２】紐がたるんだ図１のブーツの斜視図である。
【図３】紐がたるんだ図１のブーツの斜視図である。
【図４】図１のブーツの側面図である。
【図５】ブーツの反対側を示す図１のブーツの側面図である。
【図６】図１のブーツと使用するための例示的な紐ロックの平面図である。
【図７】線７−７に沿った、図６の紐ロックの断面図である。
【図８】図１のブーツと使用するための例示的な紐ガイドの斜視図である。
【符号の説明】
【００５８】
２  ブーツ、３  ブーツ本体、６  下方領域、７  上方領域、１０  内側、１２  外側、１４  上方の紐、１６  下方の紐、１８  舌状の開口部、２０  上方の紐通しゾーン、２２  下方の紐通しゾーン
【図１】
0003115773.tif 000003
【図２】
0003115773.tif 000004
【図３】
0003115773.tif 000005
【図４】
0003115773.tif 000006
【図５】
0003115773.tif 000007
【図６】
0003115773.tif 000008
【図７】
0003115773.tif 000009
【図８】
0003115773.tif 000010